(57)【要約】【課題】パネルを移動させる時の騒音を低くした移動式パネルの支持構造を提供するものである。【解決手段】移動式パネル２の上部に、走行ローラ４を設けた走行吊具３を取付け、天井に架設したチャンネル状のハンガーレール１０の下部開口部５から走行吊具３を挿入して、走行ローラ４を下部開口部５の両側に設けた走行レール６に走行させてパネル２を移動させる移動式パネルの支持構造において、走行ローラ４が走行する走行レール６を、鋼製平板で形成すると共に、この走行面１７を鏡面仕上げとし、この鏡面仕上げした上部の走行面１７が突出するように下部側を凹型の防振板１５に嵌入したものである。【選択図】  図１ 
2005330751.tif 000002
【特許請求の範囲】
【請求項１】
移動式パネルの上部に、走行ローラを設けた走行吊具を取付け、天井に架設したチャンネル状のハンガーレールの下部開口部から走行吊具を挿入して、走行ローラを下部開口部の両側に設けた走行レールに走行させてパネルを移動させる移動式パネルの支持構造において、走行ローラが走行する走行レールを、鋼製平板で形成すると共に、この走行面を鏡面仕上げとし、この鏡面仕上げした上部の走行面が突出するように、下部側を凹型の防振板に嵌入したことを特徴とする移動式パネルの支持構造。
【請求項２】
請求項１記載の移動式パネルの支持構造において、更に走行吊具の中間にガイドローラを設け、チャンネル状のハンガーレールの下部開口部に沿ってガイド板を平行に突設し、この対向する内側面に防振板を取付けて、ガイドローラの両側に摺接させたことを特徴とする移動式パネルの支持構造。
【請求項３】
ハンガーレールをアルミニューム押出材で形成したことを特徴とする請求項１または２記載の移動式パネルの支持構造。
【発明の詳細な説明】
【技術分野】
【０００１】
本発明は、パネルをハンガーレールに吊してパネルを移動させる大形移動間仕切や、大形移動扉などの移動式パネルの支持構造の改良に関するものである。
【背景技術】
【０００２】
一般に、ホテルなどにおいて結婚式場や会議場などを設営する時に、出席者の人数に合わせて、大きな会場を移動式パネルにより間仕切して必要な大きさに区分している。従来の移動式パネルの支持構造は、図３に示すように、天井面に縦横方向にチャンネル状のハンガーレール１を交差して設け、ここにパネル２の上部を支持する走行吊具３の左右に取付けた走行ローラ４、４をハンガーレール１の下部開口部５の両側に取付けた走行レール６、６の上に走行させてパネル２を移動させるようになっている。
【０００３】
このパネル２は、壁と同様に遮音性や断熱性が要求されると共に、天井まで届く大型のもので、その重量も重いものである。このため、走行ローラ４が鋼製平板で形成されている走行レール６を走行する時に振動や騒音が発生し、これがハンガーレール１に伝達されて拡大され、更に大きな騒音となる問題があった。
【発明の開示】
【発明が解決しようとする課題】
【０００４】
本発明は上記問題を改善し、パネルを移動させる時の騒音を低くした移動式パネルの支持構造を提供するものである。
【課題を解決するための手段】
【０００５】
本発明の請求項１記載の移動式パネルの支持構造は、移動式パネルの上部に、走行ローラを設けた走行吊具を取付け、天井に架設したチャンネル状のハンガーレールの下部開口部から走行吊具を挿入して、走行ローラを下部開口部の両側に設けた走行レールに走行させてパネルを移動させる移動式パネルの支持構造において、走行ローラが走行する走行レールを、鋼製平板で形成すると共に、この走行面を鏡面仕上げとし、この鏡面仕上げした上部の走行面が突出するように、下部側を凹型の防振板に嵌入したことを特徴とするものである。
【０００６】
本発明の請求項２記載の移動式パネルの支持構造は、請求項１において、更に走行吊具の中間にガイドローラを設け、チャンネル状のハンガーレールの下部開口部に沿ってガイド板を平行に突設し、この対向する内側面に防振板を取付けて、ガイドローラの両側に摺接させたことを特徴とするものである。
【０００７】
本発明の請求項３記載の移動式パネルの支持構造は、ハンガーレールをアルミニューム押出材で形成したことを特徴とするものである。
【発明の効果】
【０００８】
本発明に係る請求項１記載の移動式パネルの支持構造によれば、パネルを移動させていくと、走行吊具の走行ローラが摺動する走行レールに、重いパネルの重量が加わって、ローラと走行レールとの間で振動や騒音が発生するが、これが走行レールの下に設けた防振板で吸収されて、ハンガーレールへの伝達を防止して、騒音を少なくすることができる。つまり騒音の発生源で吸収してハンガーレールへの伝達を防止するので、防音構造を簡素化することができる。
【０００９】
また請求項２記載の移動式パネルの支持構造によれば、走行レールの走行面が鏡面仕上げされているので走行ローラとの摩擦が少なく、発生する騒音を少なくすることができる。
【００１０】
また請求項３記載の移動式パネルの支持構造によれば、ハンガーレールをアルミニューム押出材で形成したので、複雑な断面形状を容易に形成することができ、特に防振板を取付ける凹部や、断面Ｔ形の突起部などを精度良く形成することができる。
【発明を実施するための最良の形態】
【００１１】
走行ローラやガイドローラから発生する振動や騒音を低く抑えた移動式パネルの支持構造を実現した。
【実施例１】
【００１２】
以下本発明の実施例を図１および図２を参照して詳細に説明する。図において１０はハンガーレールでアルミニューム押出材で形成され、天井に架設されている。このハンガーレールは、チャンネル状の本体部１１の下部開口部５の両側に沿って、断面Ｌ形状のガイド板１２、１２が下方に向かって突設されている。また本体部１１の下部開口部５の内側両縁には、凹部１３、１３が形成されている。
【００１３】
この凹部１３には図２に示すように、ゴムや軟質プラスチックで形成された凹型の防振板１５が嵌入されている。更にこの防振板１５の凹部１６には、走行レール６が取付けられている。この走行レール６は、鋼製平板で形成されていると共に、この上面の走行面１７が鏡面仕上げされている。この鏡面仕上げした上部の走行面１７が突出するように、下部側を凹型の防振板１５の凹部１６に嵌入されている。
【００１４】
また図１に示すように、本体部１１の下部開口部５の両側に沿って下方に突設された断面Ｌ形状のガイド板１２、１２の対向面には、前記凹部１３を形成する断面Ｔ形の突起部１８、１８と、この下方に断面Ｔ形の突起部１９、１９が突設され、この上下の突起部１８、１９の間に        の防振板２０が嵌合して取付けられている。また断面Ｌ形状のガイド板１２、１２の水平部は、天井ボード２２を受けるボード受け部２３となっている。
【００１５】
またパネル２の上部に取付けた走行吊具３は、その上部に軸受２５が水平に取付けられ、この両側に走行ローラ４、４が支持されて、走行レール６の鏡面仕上げした走行面１７を走行するようになっている。また走行吊具３の中間にもガイドローラ２６が取付けられ、この両側に設けた前記防振板２０、２０に摺接するようになっている。
【００１６】
上記構成の移動式パネルの支持構造は、パネル２を押して移動させていくと、走行吊具３の走行ローラ４、４が摺動する走行レール６に重いパネル２の重量が加わる。この時、ローラ４、４と走行レール６との間で発生する振動や騒音が、凹型の防振板１５で吸収されて、ハンガーレール１０への伝達を少なくすることができる。更に走行レール６の走行面１７は鏡面仕上げされているので、走行ローラ４との摩擦が少なく発生する騒音が少ない。従って発生する振動や騒音を少なくし、しかも発生した振動や騒音を防振板１５により吸収してハンガーレール１０に伝達されるのを防止して、パネル２を静かに移動させることが可能になった。
【００１７】
また防振板１５はハンガーレール１０の凹部１３に嵌合して支持されて、更に防振板１５に凹部１６が形成され、ここに走行レール６の下部側が嵌合して支持されているので、大きな荷重が加わっても走行レール６が外れることなく確実に支持することができる。
【００１８】
また走行吊具３の中間に設けたガイドローラ２６の両側は、防振板２０、２０に摺接してガイドされるので、この移動する時の振動や騒音も吸収され、ここでの騒音の発生も低くすることができる。またハンガーレール１０をアルミニューム押出材で形成したので、複雑な断面形状を容易に形成することができ、特に防振板１５を取付ける凹部１３や、断面Ｈ形の防振板２０を取り付ける断面Ｔ形の突起部１８、１９などを精度良く形成することができる。
【産業上の利用可能性】
【００１９】
なお上記説明では手動で押して移動させるパネルの場合について示したが、電動で移動させるパネルにも適用することができる。また本発明は大きな会場を移動式パネルにより間仕切りして小さく区分したり、パネルを収納して広くして使用するなど会場の大きさを変更する場合に限らず、大きな倉庫の外部と室内を仕切る扉として、横方向にスライドするパネルを用いた構造の場合にも適用することができる。
【図面の簡単な説明】
【００２０】
【図１】本発明の実施例による移動式パネルの支持構造を示す断面図である。
【図２】図１の走行レール部分を拡大して示す断面図である。
【図３】従来の移動式パネルの支持構造を示す断面図である。
【符号の説明】
【００２１】
１    ハンガーレール                                        
２    パネル                                                
３    走行吊具                                              
４    走行ローラ                                            
５    下部開口部                                            
６    走行レール                                            
１０  ハンガーレール                                        
１１  本体部                                                
１２  ガイド板                                              
１３  凹部                                                  
１５  防振板                                                
１６  凹部                                                  
１７  鏡面仕上げした走行面                                  
１８  突起部                                                
１９  突起部                                                
２０  防振板                                                
２２  天井ボード                                            
２３  ボード受け部                                          
２６  ガイドローラ                                          
【図１】
2005330751.tif 000003
【図２】
2005330751.tif 000004
【図３】
2005330751.tif 000005